(57)【要約】【課題】表示面に入力機能を有し、互いに異なる複数の表示方向に対してそれぞれ別々の表示を行い得るデュアルビュー表示装置において、視聴用映像への影響をできるだけ抑えつつ、操作性の向上を図る。【解決手段】デュアルビュー表示装置１は、タッチ入力検知部（タッチパネル１６及びタッチ位置検知回路１８）と、表示方向Ｄ１・Ｄ２への表示にそれぞれ対応する操作画面と、これら操作画面を選択するための選択画面とを表示する表示制御部１０ｂと、操作画面又は選択画面が表示されている状態において、当該表示されている画面に応じた操作内容又は選択内容をタッチ入力検知部による検知結果に基づいて認識する入力認識部１０ｃとを備え、表示制御部１０ｂは、操作画面及び選択画面の非表示状態においてタッチ入力検知部がタッチ入力を検知すると、選択画面を表示する。【選択図】図４
2007164614.tif 000002
【特許請求の範囲】
【請求項１】
互いに異なる複数の表示方向に対してそれぞれ別々の表示を行い得る表示パネルと、
前記表示パネルの表示面へのタッチ入力を検知するタッチ入力検知部と、
前記各表示方向への表示にそれぞれ対応する操作画面と、これら操作画面を選択するための選択画面とを前記表示パネルに表示する表示制御手段と、
前記操作画面又は選択画面が表示されている状態において、当該表示されている画面に応じた操作内容又は選択内容を前記タッチ入力検知部による検知結果に基づいて認識する入力認識手段とを備え、
前記表示制御手段は、前記操作画面及び選択画面の非表示状態において前記タッチ入力検知部がタッチ入力を検知すると、前記選択画面を表示することを特徴とする表示装置。
【請求項２】
前記タッチ入力検知部は、前記表示面上のタッチ入力の位置を検知し、
前記表示制御手段は、前記選択画面として、前記各操作画面の選択領域を示す画面を表示し、
前記入力認識手段は、前記表示面上のタッチ入力の位置に基づいて選択された操作画面を認識することを特徴とする請求項１に記載の表示装置。
【請求項３】
前記表示制御手段は、前記選択画面として、前記各操作画面それぞれに対応する複数の選択画面を時分割で切り替えて表示し、
前記入力認識手段は、タッチ入力がなされた時に表示されている選択画面に対応する操作画面が選択されたものと認識する請求項１に記載の表示装置。
【請求項４】
前記表示制御手段は、前記選択画面を表示する際には、当該選択画面を前記各表示方向に対して表示することを特徴とする請求項１から３の何れか１項に記載の表示装置。
【請求項５】
前記表示制御手段は、前記操作画面を表示する際には、当該操作画面を前記各表示方向に対して表示することを特徴とする請求項１から４の何れか１項に記載の表示装置。
【請求項６】
互いに異なる複数の表示方向に対してそれぞれ別々の表示を行い得る表示パネルと、
前記表示パネルの表示面へのタッチ入力を検知するタッチ入力検知部と、
前記各表示方向への表示にそれぞれ対応する操作画面を選択するための選択画面を前記表示パネルに表示させつつ前記タッチ入力検知部を介して前記操作画面の選択を受け付けるとともに、選択された操作画面を前記表示パネルに表示させつつ前記タッチ入力検知部を介して操作を受け付ける制御部とを備え、
前記制御部は、前記操作画面及び選択画面の非表示状態において前記タッチ入力検知部がタッチ入力を検知すると、前記選択画面を表示することを特徴とする表示装置。
【請求項７】
互いに異なる複数の表示方向に対してそれぞれ別々の表示を行い得る表示パネルと、前記表示パネルの表示面へのタッチ入力を検知するタッチ入力検知部とを備えた表示装置の制御方法において、
前記各表示方向への表示にそれぞれ対応する操作画面と、これら操作画面を選択するための選択画面とを前記表示パネルに表示する表示制御処理と、
前記操作画面又は選択画面が表示されている状態において、当該表示されている画面に応じた操作内容又は選択内容を前記タッチ入力検知部による検知結果に基づいて認識する入力認識処理とを含み、
前記表示制御処理は、前記操作画面及び選択画面の非表示状態において前記タッチ入力検知部がタッチ入力を検知すると、前記選択画面を表示する処理を含むことを特徴とする表示装置の制御方法。
【請求項８】
互いに異なる複数の表示方向に対してそれぞれ別々の表示を行い得る表示パネルと、前記表示パネルの表示面へのタッチ入力を検知するタッチ入力検知部とを備えた表示装置の制御方法において、
前記各表示方向への表示にそれぞれ対応する操作画面を選択するための選択画面を前記表示パネルに表示させつつ前記タッチ入力検知部を介して前記操作画面の選択を受け付ける選択処理と、
選択された操作画面を前記表示パネルに表示させつつ前記タッチ入力検知部を介して操作を受け付ける操作処理とを含み、
前記操作画面及び選択画面の非表示状態において前記タッチ入力検知部がタッチ入力を検知すると、前記選択処理を開始することを特徴とする表示装置の制御方法。
【請求項９】
互いに異なる複数の表示方向に対してそれぞれ別々の表示を行い得る表示パネルと、
前記表示パネルの表示面へのタッチ入力を検知するタッチ入力検知部と、
前記各表示方向への表示にそれぞれ対応する操作画面を前記表示パネルに表示する表示制御手段と、
前記操作画面が表示されている状態において、当該表示されている操作画面に応じた操作内容を前記タッチ入力検知部による検知結果に基づいて認識する入力認識手段とを備え、
前記表示制御手段は、前記操作画面の非表示状態において前記タッチ入力検知部が検知するタッチ入力の時間的パターンに応じて、前記操作画面の中から特定の操作画面を表示することを特徴とする表示装置。
【請求項１０】
前記表示制御手段は、前記操作画面の非表示状態において前記タッチ入力検知部が所定時間内に検知するタッチ入力の回数に応じて、前記操作画面の中から特定の操作画面を表示することを特徴とする請求項９に記載の表示装置。
【請求項１１】
前記表示制御手段は、前記操作画面の非表示状態において前記タッチ入力検知部が検知するタッチ入力の時間的長さに応じて、前記操作画面の中から特定の操作画面を表示することを特徴とする請求項９に記載の表示装置。
【請求項１２】
前記表示制御手段は、前記特定の操作画面を表示する際には、当該操作画面を前記各表示方向に対して表示することを特徴とする請求項９から１１の何れか１項に記載の表示装置。
【請求項１３】
互いに異なる複数の表示方向に対してそれぞれ別々の表示を行い得る表示パネルと、
前記表示パネルの表示面へのタッチ入力を検知するタッチ入力検知部と、
前記各表示方向への表示にそれぞれ対応する操作画面を前記表示パネルに表示させつつ前記タッチ入力検知部を介して操作を受け付ける制御部とを備え、
前記制御部は、前記操作画面の非表示状態において前記タッチ入力検知部が検知するタッチ入力の時間的パターンに応じて、前記操作画面の中から特定の操作画面を表示することを特徴とする表示装置。
【請求項１４】
互いに異なる複数の表示方向に対してそれぞれ別々の表示を行い得る表示パネルと、前記表示パネルの表示面へのタッチ入力を検知するタッチ入力検知部とを備えた表示装置の制御方法において、
前記各表示方向への表示にそれぞれ対応する操作画面を前記表示パネルに表示する表示制御処理と、
前記操作画面が表示されている状態において、当該表示されている操作画面に応じた操作内容を前記タッチ入力検知部による検知結果に基づいて認識する入力認識処理とを含み、
前記表示制御処理は、前記操作画面の非表示状態において前記タッチ入力検知部が検知するタッチ入力の時間的パターンに応じて、前記操作画面の中から特定の操作画面を表示する処理を含むことを特徴とする表示装置の制御方法。
【請求項１５】
互いに異なる複数の表示方向に対してそれぞれ別々の表示を行い得る表示パネルと、前記表示パネルの表示面へのタッチ入力を検知するタッチ入力検知部とを備えた表示装置の制御方法において、
前記各表示方向への表示にそれぞれ対応する操作画面を前記表示パネルに表示させつつ前記タッチ入力検知部を介して操作を受け付ける操作処理を含み、
前記操作画面の非表示状態において前記タッチ入力検知部が検知するタッチ入力の時間的パターンに応じて、前記操作画面の中から特定の操作画面を表示することを特徴とする表示装置の制御方法。
【発明の詳細な説明】
【技術分野】
【０００１】
本発明は、互いに異なる複数の表示方向に対してそれぞれ別々の表示を行うとともに、表示面へのタッチ入力を検知することにより表示の操作を可能とする表示装置及びその制御方法に関するものである。
【背景技術】
【０００２】
複数の異なる映像を同時に表示する表示装置として、表示エリアを複数に分割し、それぞれの表示エリアに異なる映像を同時に表示するものがある。しかし、この場合、それぞれの表示エリアに表示される映像が同時に見えてしまうため、いずれかの表示エリアに表示される映像を集中して見ることができないばかりか、それぞれの表示エリアが小さくなってしまうという問題がある。
【０００３】
このため、たとえば特許文献１においては、表示エリアのサイズを変更することなく、異なる複数の表示方向に互いに異なる映像を同時に表示する表示装置が開示されている。
【０００４】
上記特許文献１に開示された表示装置は、液晶表示パネルの前面に設けられ、液晶表示パネルからの光を一部遮光する遮光層を有しており、これにより、互いに異なる観察方向に対して別々の映像を表示する、いわゆるデュアルビュー表示を行うものである。
【０００５】
また、たとえば特許文献２においては、デュアルビュー表示を行う液晶表示パネルの前面に更にタッチパネルが設けられており、画面をタッチすることにより、互いに異なる方向に表示された映像をそれぞれ操作できるようにした表示装置が開示されている。
【０００６】
上記特許文献２に開示された表示装置について、図１４に基づいて説明する。この表示装置１０１は、制御ＣＰＵ１１０、液晶コントローラ１１１、ゲートドライバ１１２、ソースドライバ１１３、液晶表示パネル１１４、パララックスバリヤ１１５、タッチパネル１１６（液晶表示パネル１１４、パララックスバリヤ１１５及びタッチパネル１１６によって表示部１１７が構成される）、タッチ位置検知回路１１８、ビュー切替えスイッチ１１９、映像逆転切替えスイッチ１２０を備えている。
【０００７】
制御ＣＰＵ１１０は、ビュー切替えスイッチ１１９の操作に応じて、第１画像データ及び第２画像データに基づいたデュアルビュー表示と、第１画像データ及び第２画像データのいずれか一方に基づいたシングルビュー表示とを切り替えるように、液晶コントローラ１１１を制御する。また、制御ＣＰＵ１１０は、映像逆転切替えスイッチ１２０の操作に応じて、第１画像データに基づいた表示と、第２画像データに基づいた表示とを逆転させるように、液晶コントローラ１１１を制御する。
【０００８】
ここで、デュアルビュー表示とは、第１画像データ及び第２画像データに基づいたそれぞれの映像を、互いに異なる方向から液晶表示パネル１１４を観察する視聴者Ａ又はＢに向けてそれぞれ表示する状態を意味し、シングルビュー表示とは、第１画像データ及び第２画像データのいずれかに基づいた映像を、視聴者Ａ及びＢに向けて表示する状態を意味する。また、第１画像データ及び第２画像データに基づいた映像が逆転するとは、視聴者Ａが視聴している映像と視聴者Ｂが視聴している映像とを入れ替えて表示させることを意味する。
【０００９】
制御ＣＰＵ１０は、さらに、タッチ位置検知回路１１８による検知結果に応じて、視聴者Ａタッチ専用エリア１１６ａ又は視聴者Ｂタッチ専用エリア１１６ｂがタッチされたことを認識し、タッチした視聴者に対する映像を操作するためのタッチ操作画面を表示するように液晶コントローラ１１１を制御する。
【００１０】
ここで、視聴者Ａタッチ専用エリア１１６ａ及び視聴者Ｂタッチ専用エリア１１６ｂは、タッチパネル１１６の座標により、それぞれ画面の下部左端及び右端に設定されている。制御ＣＰＵ１０は、この座標データと、タッチ位置検知回路１１８による検知結果の示す座標データとを照合することにより、視聴者Ａタッチ専用エリア１１６ａ又は視聴者Ｂタッチ専用エリア１１６ｂのいずれがタッチされたのかを認識する。
【００１１】
表示部１１７は、液晶表示パネル１１４と、デュアルビュー表示を行うためのパララックスバリヤ１１５と、タッチを検知するためのタッチパネル１１６とがこの順に重ね合わされて構成されており、これら各構成要素は何れも周知のものである。
【００１２】
また、タッチ位置検知回路１１８は、タッチパネル１１６におけるタッチされた位置をタッチパネル１１６の座標として検知し、その検知結果を座標データとして制御ＣＰＵ１１０に送るものであり、これも周知の回路である。
【００１３】
以上のような構成を有する表示装置１０１において、視聴者Ａ及びＢは、対応するタッチ専用エリア（それぞれ視聴者Ａタッチ専用エリア１１６ａ及び視聴者Ｂタッチ専用エリア１１６ｂ）にタッチすることにより、それぞれが視聴している映像に関するタッチ操作画面を表示させてタッチ操作を行う。
【００１４】
なお、上記特許文献２では、視聴者Ａタッチ専用エリア１１６ａ及び視聴者Ｂタッチ専用エリア１１６ｂは、表示されない、各エリアの輪郭のみを視認できるように表示する、あるいは各エリアを薄い色で表示する、のいずれの形態がとられてもよく、いずれにしても表示される映像に邪魔にならない程度の表示であればよいとされている。
【特許文献１】特開平１１−２０５８２２号公報（公開日１９９９年７月３０日）
【特許文献２】特開２００５−７１２８６号公報（公開日２００５年３月１７日）
【発明の開示】
【発明が解決しようとする課題】
【００１５】
上記特許文献２に開示された表示装置１０１において、視聴者Ａタッチ専用エリア１１６ａ及び視聴者Ｂタッチ専用エリア１１６ｂを表示しないようにすると、視聴者Ａ及びＢは、操作画面を呼び出すためにタッチパネル１１６のどの部分をタッチすればよいのかを認識しづらくなる。その結果、視聴者Ａ又はＢが誤って他方のタッチ専用エリアをタッチしてしまうことにもつながる。
【００１６】
一方、表示装置１０１において、視聴者Ａタッチ専用エリア１１６ａ及び視聴者Ｂタッチ専用エリア１１６ｂの輪郭のみを視認できるように表示する、あるいは各エリアを薄い色で表示すると、輪郭のみであっても薄い色であっても、視聴されている映像に重畳して表示するのであれば、当該映像に対して全く邪魔にならないとはいえない。また、視聴されている映像の外側に表示するのであれば、当該映像の表示領域が狭められることになる。さらに、これらの影響を小さくするために視聴者Ａタッチ専用エリア１１６ａ及び視聴者Ｂタッチ専用エリア１１６ｂの面積を小さくすると、操作性が悪くなることになる。
【００１７】
本発明の目的は、表示面に入力機能を有し、互いに異なる複数の表示方向に対してそれぞれ別々の表示を行うマルチビュー表示装置において、視聴されている映像への影響をできるだけ抑えつつ、操作性の向上を図ることにある。
【課題を解決するための手段】
【００１８】
本発明に係る表示装置は、互いに異なる複数の表示方向に対してそれぞれ別々の表示を行い得る表示パネルと、前記表示パネルの表示面へのタッチ入力を検知するタッチ入力検知部と、前記各表示方向への表示にそれぞれ対応する操作画面と、これら操作画面を選択するための選択画面とを前記表示パネルに表示する表示制御手段と、前記操作画面又は選択画面が表示されている状態において、当該表示されている画面に応じた操作内容又は選択内容を前記タッチ入力検知部による検知結果に基づいて認識する入力認識手段とを備え、前記表示制御手段は、前記操作画面及び選択画面の非表示状態において前記タッチ入力検知部がタッチ入力を検知すると、前記選択画面を表示することを特徴としている。
【００１９】
また、本発明に係る表示装置は、互いに異なる複数の表示方向に対してそれぞれ別々の表示を行い得る表示パネルと、前記表示パネルの表示面へのタッチ入力を検知するタッチ入力検知部と、前記各表示方向への表示にそれぞれ対応する操作画面を選択するための選択画面を前記表示パネルに表示させつつ前記タッチ入力検知部を介して前記操作画面の選択を受け付けるとともに、選択された操作画面を前記表示パネルに表示させつつ前記タッチ入力検知部を介して操作を受け付ける制御部とを備え、前記制御部は、前記操作画面及び選択画面の非表示状態において前記タッチ入力検知部がタッチ入力を検知すると、前記選択画面を表示することを特徴としている。
【００２０】
また、本発明に係る表示装置の制御方法は、互いに異なる複数の表示方向に対してそれぞれ別々の表示を行い得る表示パネルと、前記表示パネルの表示面へのタッチ入力を検知するタッチ入力検知部とを備えた表示装置の制御方法であって、前記各表示方向への表示にそれぞれ対応する操作画面と、これら操作画面を選択するための選択画面とを前記表示パネルに表示する表示制御処理と、前記操作画面又は選択画面が表示されている状態において、当該表示されている画面に応じた操作内容又は選択内容を前記タッチ入力検知部による検知結果に基づいて認識する入力認識処理とを含み、前記表示制御処理は、前記操作画面及び選択画面の非表示状態において前記タッチ入力検知部がタッチ入力を検知すると、前記選択画面を表示する処理を含むことを特徴としている。
【００２１】
また、本発明に係る表示装置の制御方法は、互いに異なる複数の表示方向に対してそれぞれ別々の表示を行い得る表示パネルと、前記表示パネルの表示面へのタッチ入力を検知するタッチ入力検知部とを備えた表示装置の制御方法であって、前記各表示方向への表示にそれぞれ対応する操作画面を選択するための選択画面を前記表示パネルに表示させつつ前記タッチ入力検知部を介して前記操作画面の選択を受け付ける選択処理と、選択された操作画面を前記表示パネルに表示させつつ前記タッチ入力検知部を介して操作を受け付ける操作処理とを含み、前記操作画面及び選択画面の非表示状態において前記タッチ入力検知部がタッチ入力を検知すると、前記選択処理を開始することを特徴としている。
【００２２】
従来の構成では、発明が解決しようとする課題欄において説明したように、視聴用の画像表示を行っている際に、デュアルビュー表示の各表示にそれぞれ対応する操作画面を呼び出すための入力を受け付ける状態となっている。そのため、視聴用の画像表示を行いつつ、各操作画面をそれぞれ呼び出すための複数の選択領域（背景技術において説明した「タッチ専用エリア」に相当）を設定したり、これら選択領域を明示するための表示を行ったりする必要があった。
【００２３】
これに対し、上記構成又は方法では、操作画面及び選択画面の非表示状態においてタッチ入力が検知されることにより選択画面を表示し、選択画面に応じた選択内容をタッチ入力検知部による検知結果に基づいて認識する。そして、選択された操作画面を表示し、その操作画面に応じた操作内容をタッチ入力検知部による検知結果に基づいて認識する。
【００２４】
そのため、操作画面及び選択画面の非表示状態においては、表示面の任意の位置に対するタッチ入力の有無を監視しておけばよく、操作者は表示面の任意の位置にタッチすればよいので、操作者による誤操作が起こりにくくなる。
【００２５】
また、操作画面及び選択画面の非表示状態においては、上記選択領域を区別するための表示の必要はなくなり、視聴用の映像への影響を避けることができるようになる。
【００２６】
その結果、視聴用の映像への影響をできるだけ抑えつつ、操作性の向上を図ることができる。
【００２７】
本発明に係る表示装置は、上記構成において、前記タッチ入力検知部は、前記表示面上のタッチ入力の位置を検知し、前記表示制御手段は、前記選択画面として、前記各操作画面の選択領域を示す画面を表示し、前記入力認識手段は、前記表示面上のタッチ入力の位置に基づいて選択された操作画面を認識する構成であってもよい。
【００２８】
上述したように、選択画面は、操作画面及び選択画面の非表示状態においてタッチ入力が検知されることにより表示されるものであるので、視聴用の映像とともに表示する必要はなく、選択時のみ一時的に表示するようにすることができる。
【００２９】
したがって、上記構成のように、選択画面として各操作画面の選択領域を示す画面を表示する際、視聴用の映像に対して重畳させつつ大きく表示することができるので、選択領域の面積を十分確保できるとともに、選択領域を明確に区別することができる。その結果、操作者による誤操作が起こりにくくなる。
【００３０】
あるいは、本発明に係る表示装置は、上記構成において、前記表示制御手段は、前記選択画面として、前記各操作画面それぞれに対応する複数の選択画面を時分割で切り替えて表示し、前記入力認識手段は、タッチ入力がなされた時に表示されている選択画面に対応する操作画面が選択されたものと認識する構成であってもよい。
【００３１】
上記構成では、選択画面として、各操作画面それぞれに対応する複数の選択画面を時分割で切り替えて表示するので、操作者は各選択画面の任意の位置にタッチすればよいので、操作者による誤操作が起こりにくくなる。
【００３２】
本発明に係る表示装置は、上記構成において、前記表示制御手段は、前記選択画面を表示する際には、当該選択画面を前記各表示方向に対して表示するようにすればよい。
【００３３】
本発明に係る表示装置は、上記構成において、前記表示制御手段は、前記操作画面を表示する際には、当該操作画面を前記各表示方向に対して表示する構成であってもよい。
【００３４】
上記構成では、選択された操作画面を表示する際に、当該操作画面に対応する表示方向のみならず、各表示方向に対して当該操作画面を表示する。これにより、ある表示方向には、他の表示方向に対応する操作画面も表示されることになるため、他の表示方向への表示についても操作を行うことができる。
【００３５】
本発明に係る表示装置は、互いに異なる複数の表示方向に対してそれぞれ別々の表示を行い得る表示パネルと、前記表示パネルの表示面へのタッチ入力を検知するタッチ入力検知部と、前記各表示方向への表示にそれぞれ対応する操作画面を前記表示パネルに表示する表示制御手段と、前記操作画面が表示されている状態において、当該表示されている操作画面に応じた操作内容を前記タッチ入力検知部による検知結果に基づいて認識する入力認識手段とを備え、前記表示制御手段は、前記操作画面の非表示状態において前記タッチ入力検知部が検知するタッチ入力の時間的パターンに応じて、前記操作画面の中から特定の操作画面を表示することを特徴としている。
【００３６】
また、本発明に係る表示装置は、互いに異なる複数の表示方向に対してそれぞれ別々の表示を行い得る表示パネルと、前記表示パネルの表示面へのタッチ入力を検知するタッチ入力検知部と、前記各表示方向への表示にそれぞれ対応する操作画面を前記表示パネルに表示させつつ前記タッチ入力検知部を介して操作を受け付ける制御部とを備え、前記制御部は、前記操作画面の非表示状態において前記タッチ入力検知部が検知するタッチ入力の時間的パターンに応じて、前記操作画面の中から特定の操作画面を表示することを特徴としている。
【００３７】
また、本発明に係る表示装置の制御方法は、互いに異なる複数の表示方向に対してそれぞれ別々の表示を行い得る表示パネルと、前記表示パネルの表示面へのタッチ入力を検知するタッチ入力検知部とを備えた表示装置の制御方法であって、前記各表示方向への表示にそれぞれ対応する操作画面を前記表示パネルに表示する表示制御処理と、前記操作画面が表示されている状態において、当該表示されている操作画面に応じた操作内容を前記タッチ入力検知部による検知結果に基づいて認識する入力認識処理とを含み、前記表示制御処理は、前記操作画面の非表示状態において前記タッチ入力検知部が検知するタッチ入力の時間的パターンに応じて、前記操作画面の中から特定の操作画面を表示する処理を含むことを特徴としている。
【００３８】
また、本発明に係る表示装置の制御方法は、互いに異なる複数の表示方向に対してそれぞれ別々の表示を行い得る表示パネルと、前記表示パネルの表示面へのタッチ入力を検知するタッチ入力検知部とを備えた表示装置の制御方法であって、前記各表示方向への表示にそれぞれ対応する操作画面を前記表示パネルに表示させつつ前記タッチ入力検知部を介して操作を受け付ける操作処理を含み、前記操作画面の非表示状態において前記タッチ入力検知部が検知するタッチ入力の時間的パターンに応じて、前記操作画面の中から特定の操作画面を表示することを特徴としている。
【００３９】
従来の構成では、発明が解決しようとする課題欄において説明したように、視聴用の画像表示を行っている際に、デュアルビュー表示の各表示にそれぞれ対応する操作画面を呼び出すための入力を受け付ける状態となっている。そのため、視聴用の画像表示を行いつつ、各操作画面をそれぞれ呼び出すための複数の選択領域（背景技術において説明した「タッチ専用エリア」に相当）を設定したり、これら選択領域を明示するための表示を行ったりする必要があった。
【００４０】
これに対し、上記構成又は方法では、操作画面及び選択画面の非表示状態においてタッチ入力検知部が検知するタッチ入力の時間的パターンに応じて、操作画面の中から特定の操作画面を表示する。そして、その操作画面に応じた操作内容をタッチ入力検知部による検知結果に基づいて認識する。
【００４１】
そのため、操作画面の非表示状態においては、表示面の任意の位置に対するタッチ入力の有無を監視しておけばよく、操作者は表示面の任意の位置にタッチすればよいので、操作者による誤操作が起こりにくくなる。
【００４２】
また、操作画面の非表示状態においては、上記選択領域を区別するための表示の必要はなくなり、視聴用の画像への影響を避けることができるようになる。
【００４３】
その結果、視聴用の映像への影響をできるだけ抑えつつ、操作性の向上を図ることができる。
【００４４】
なお、タッチ入力の時間的パターンとは、時間経過に対するタッチ入力の変化の類型を意味し、所定期間内のタッチ入力の回数や、タッチ入力の時間的長さを含む概念である。
【００４５】
したがって、前記表示制御手段は、操作画面の非表示状態において前記タッチ入力検知部が所定時間内に検知するタッチ入力の回数に応じて、前記操作画面の中から特定の操作画面を表示する構成であってもよい。
【００４６】
また、前記表示制御手段は、操作画面の非表示状態において前記タッチ入力検知部が検知するタッチ入力の時間的長さに応じて、前記操作画面の中から特定の操作画面を表示する構成であってもよい。
【００４７】
本発明に係る表示装置は、上記構成において、前記表示制御手段は、前記特定の操作画面を表示する際には、当該操作画面を前記各表示方向に対して表示する構成であってもよい。
【００４８】
上記構成では、操作画面の中から特定された操作画面を表示する際に、当該操作画面に対応する表示方向のみならず、各表示方向に対して当該操作画面を表示する。これにより、ある表示方向には、他の表示方向に対応する操作画面も表示されることになるため、他の表示方向への表示についても操作を行うことができる。
【発明の効果】
【００４９】
以上のように、本発明に係る表示装置は、各表示方向への表示にそれぞれ対応する操作画面と、これら操作画面の選択画面とを表示パネルに表示する表示制御手段と、操作画面又は選択画面が表示されている状態において、当該表示されている画面に応じた操作内容又は選択内容をタッチ入力検知部による検知結果に基づいて認識する入力認識手段とを備え、表示制御手段は、操作画面及び選択画面の非表示状態においてタッチ入力検知部がタッチ入力を検知すると、選択画面を表示する構成である。
【００５０】
また、本発明に係る表示装置は、各表示方向への表示にそれぞれ対応する操作画面を表示パネルに表示する表示制御手段と、操作画面が表示されている状態において、当該表示されている操作画面に応じた操作内容をタッチ入力検知部による検知結果に基づいて認識する入力認識手段とを備え、表示制御手段は、操作画面の非表示状態においてタッチ入力検知部が検知するタッチ入力の時間的パターンに応じて、操作画面の中から特定の操作画面を表示する構成である。
【００５１】
上記構成では、操作画面及び選択画面の非表示状態においては、表示面の任意の位置に対するタッチ入力の有無を監視しておけばよく、操作者は表示面の任意の位置にタッチすればよいので、操作者による誤操作が起こりにくくなり、また、上記選択領域を区別するための表示の必要はなくなり、視聴用の画像への影響を避けることができるようになる。
【００５２】
その結果、視聴用の映像への影響をできるだけ抑えつつ、操作性の向上を図ることができるという効果を奏する。
【発明を実施するための最良の形態】
【００５３】
〔実施形態１〕
本発明の第１の実施形態について、図１から図８に基づいて説明すると以下の通りである。
【００５４】
本実施形態において説明する表示装置は、互いに異なる複数の表示方向に対してそれぞれ別々の表示を行う、いわゆるデュアルビュー表示装置である。また、このデュアルビュー表示装置は、各表示方向に表示している映像を表示面上のタッチパネルを用いて操作できるように構成されているものである。
【００５５】
なお、本実施形態では、自動車に搭載され、運転席側に向かってカーナビ映像を、助手席側に向かってＤＶＤ映像をそれぞれ同時に表示するデュアルビュー表示装置を想定して説明するが、本発明に係る表示装置の具体的用途はこれに限定されない。
【００５６】
また、本実施形態では、２つの表示方向に対してそれぞれ別々の表示を行うデュアルビュー表示装置を想定しているが、本発明に係る表示装置は、３つ以上の表示方向に対してそれぞれ別々の表示を行うマルチビュー表示装置であってもよい。
【００５７】
図１のブロック図に基づいて、デュアルビュー表示装置１の全体構成について説明する。デュアルビュー表示装置１は、制御部１０、液晶コントローラ１１、ゲートドライバ１２、ソースドライバ１３、液晶表示パネル１４、パララックスバリヤ１５、タッチパネル１６（液晶表示パネル１４、パララックスバリヤ１５及びタッチパネル１６によって表示部１７が構成される）、タッチ位置検知回路１８を備えている。なお、デュアルビュー表示装置１は、背景技術において説明したビュー切替えスイッチや映像逆転切替えスイッチを備えていてもよく、さらに、視差バリアの効果を有効又は無効にして、デュアルビュー表示とシングルビュー表示とを切り替えるものであってもよい。
【００５８】
液晶コントローラ１１は、外部装置から送られてくるカーナビ映像データ（第１画像データ）及びＤＶＤ映像データ（第２画像データ）に基づくカーナビ映像（第１画像）及びＤＶＤ映像（第２画像）を、ゲートドライバ１２及びソースドライバ１３を駆動することにより、表示部１７においてそれぞれ運転席方向（第１表示方向）Ｄ１及び助手席方向（第２表示方向）Ｄ２に対してデュアルビュー表示させる。
【００５９】
なお、カーナビ映像データ及びＤＶＤ映像データは、それぞれ、外部装置としてのカーナビゲーションシステム５１及びＤＶＤ再生装置５２から送られてくる。
【００６０】
また、液晶コントローラ１１は、制御部１０から送られてくる操作画面データ及び選択画面データに基づく画面を表示部１７において運転席方向Ｄ１及び助手席方向Ｄ２に対して表示させる。上記操作画面データ及び選択画面データについては後述する。
【００６１】
ゲートドライバ１２及びソースドライバ１３は、液晶コントローラ１１からの信号に基づいて液晶表示パネル１４を駆動する駆動回路である。これらは周知のものであるので、ここではその具体的構成に関する説明を省略する。
【００６２】
液晶表示パネル１４及びパララックスバリヤ１５の組合せは、デュアルビュー表示パネルとして周知のものであるが、ここでは図２に基づいてこれらの構成の一例を簡単に説明する。
【００６３】
図２に示すように、液晶表示パネル１４は、バックライト１４ａと液晶パネル１４ｂとを備えており、バックライト１４ａからの光の透過を液晶パネル１４ｂに形成された多数の画素ごとに制御することにより画像を表示するものである。これら画素は、画面水平方向において第１及び第２画像用画素Ｐ１・Ｐ２が交互に配列されて構成されている。第１及び第２画像用画素Ｐ１・Ｐ２は、それぞれ運転席方向Ｄ１及び助手席方向Ｄ２に対する表示を行うための画素である。
【００６４】
パララックスバリヤ１５は、液晶パネル１４ｂの前面側に設けられており、それぞれ画面垂直方向にストライプ状に伸び、画面水平方向に交互に配列された遮蔽部（遮光性スリット）１５ａ及び透過部（透光性スリット）１５ｂを有している。このパララックスバリヤ１５は、運転席方向Ｄ１に対して第１画像用画素Ｐ１を露出させるとともに第２画像用画素Ｐ２を隠し、助手席方向Ｄ２に対して第２画像用画素Ｐ２を露出させるとともに第１画像用画素Ｐ１を隠す。
【００６５】
これにより、図３に示すように、カーナビ映像データ及びＤＶＤ映像データは、それぞれ運転席方向Ｄ１及び助手席方向Ｄ２に表示され、表示部１７前方の互いに異なる位置Ａ１・Ａ２（運転席及び助手席）において観察されることになる。
【００６６】
引き続き図１に基づいて説明する。タッチパネル１６は、パララックスバリヤ１５の前面側に設けられており、液晶表示パネル１４及びパララックスバリヤ１５からなるデュアルビュー表示パネルの表示面へのタッチ入力（指などによって表示面内のある位置に触れること）を受け付けるパネルである。タッチパネル１６は、表示面へのタッチ入力がなされると、その位置に応じた信号を生成し、その信号をタッチ位置検知回路１８へ送る。この信号の生成は、たとえば、パネル表面の電荷変化量を測定することにより実現される。なお、タッチパネル１６は周知のものであるので、ここではその具体的構成に関する説明を省略する。
【００６７】
タッチ位置検知回路１８は、タッチパネル１６とともにタッチ入力検知部を構成する回路である。タッチ位置検知回路１８は、タッチ入力がなされることによりタッチパネル１６から送られてくる信号に基づいて、そのタッチ入力の表示面内での位置（座標）を示す座標データを生成し、この座標データを制御部１０へ送る。
【００６８】
制御部１０は、タッチ位置検知回路１８から送られてくる座標データに基づいて、タッチ入力により指示された操作内容等を認識し、その認識結果によって液晶コントローラ１１、並びに外部装置としてのカーナビゲーションシステム５１及びＤＶＤ再生装置５２を制御する。
【００６９】
ここで、制御部１０は、制御用のＣＰＵやメモリなどを備えて構成されている。これらによって制御プログラムが実行されることにより、制御部１０では、図４に示す機能ブロックがソフトウェア的に構成される。
【００７０】
すなわち、制御部１０は、記憶部１０ａ、表示制御部１０ｂ及び入力認識部１０ｃとして機能する。
【００７１】
記憶部１０ａは、カーナビ映像操作画面（第１操作画面）及びＤＶＤ映像操作画面（第２操作画面）、並びに選択画面に関する情報を記憶している。
【００７２】
カーナビ映像操作画面及びＤＶＤ映像操作画面は、それぞれカーナビ映像及びＤＶＤ映像を操作するために表示部１７に表示される画面であり、各種操作に対応するボタンの表示を含むものである（後述する図７（ａ）及び図７（ｂ）並びに図８（ａ）及び図８（ｂ）参照）。これらボタンの位置にタッチ入力がなされることにより、これらボタンが押されたものとみなして対応する操作が実行される。
【００７３】
カーナビ映像操作画面及びＤＶＤ映像操作画面に関する情報としては、それぞれ、当該画面を表示部１７に表示するために当該画面のデザインを示す操作画面データと、当該画面に含まれるボタンの領域（ボタン領域）とそのボタンに対応付けられた操作内容との対応関係を示すテーブルとが含まれている。上記ボタン領域は表示面上の座標によって規定されている。
【００７４】
選択画面は、カーナビ映像操作画面及びＤＶＤ映像操作画面の何れを表示すべきかを選択するために表示部１７に表示される画面であり、各操作画面それぞれを選択するボタンの表示を含むものである（後述する図６（ａ）及び図６（ｂ）参照）。これらボタンの位置にタッチ入力がなされることにより、これらボタンが押されたものとみなして対応する操作画面が選択される。
【００７５】
選択画面に関する情報としては、当該画面を表示部１７に表示するために当該画面のデザインを示す選択画面データと、当該画面に含まれるボタンの領域（ボタン領域）とそのボタンに対応付けられた選択内容（カーナビ映像操作画面又はＤＶＤ映像操作画面）との対応関係を示すテーブルとが含まれている。上記ボタン領域は表示面上の座標によって規定されている。
【００７６】
表示制御部１０ｂは、記憶部１０ａから操作画面データ又は選択画面データを読み出して液晶コントローラ１１へ送ることにより、カーナビ映像操作画面、ＤＶＤ映像操作画面又は選択画面を表示部１７に表示させるものである。
【００７７】
具体的には、表示制御部１０ｂは、各操作画面及び選択画面の何れも表示させていない状態において、表示面の任意の位置にタッチ入力がなされると、選択画面を表示させる。
【００７８】
表示制御部１０ｂは、上記タッチ入力がなされたことの認識を、後述する入力認識部１０ｃからの通知によって行う。なお、タッチ位置検知回路１８からの座標データを表示制御部１０ｂが直接受けて、上記タッチ入力がなされたことの認識を行ってもよい。
【００７９】
また、表示制御部１０ｂは、選択画面を表示させている状態において、カーナビ映像操作画面又はＤＶＤ映像操作画面が選択されたことを示す選択信号を入力認識部１０ｃから受け取ると、当該選択された操作画面を表示させる。
【００８０】
入力認識部１０ｃは、操作画面及び選択画面の何れも表示されていない状態において、タッチ位置検知回路１８から座標データが送られてくると、タッチ入力がなされたこと通知するための信号を表示制御部１０ｂに対して送る。なお、この信号は、タッチ入力がなされたことを表示制御部１０ｂに通知できればよく、その位置まで通知する必要はない。
【００８１】
また、入力認識部１０ｃは、選択画面又は操作画面が表示されている状態では、タッチ位置検知回路１８から送られてくる座標データと、表示されている選択画面又は操作画面のボタン領域とを比較することにより、タッチ入力により指示された選択内容又は操作内容を認識し、その認識結果に応じた指示を表示制御部１０ｂ、カーナビゲーションシステム５１又はＤＶＤ再生装置５２に対して送るものである。
【００８２】
具体的には、入力認識部１０ｃは、選択画面が表示されている状態では、タッチ位置検知回路１８から送られてくる座標データと、選択画面のボタン領域とを比較することにより、タッチ入力によりカーナビ映像操作画面及びＤＶＤ映像操作画面の何れが選択されたのかを認識し、認識結果を示す選択信号を表示制御部１０ｂへ送る。
【００８３】
また、入力認識部１０ｃは、操作画面が表示されている状態では、タッチ位置検知回路１８から送られてくる座標データと、当該操作画面のボタン領域とを比較することにより、タッチ入力により指定された操作内容を認識し、その操作内容に応じた処理を行う。
【００８４】
なお、何れの画面が表示されているのかを知るために、入力認識部１０ｃは、表示制御部１０ｂから表示画面の情報を得ている。
【００８５】
操作内容は主にカーナビゲーションシステム５１及びＤＶＤ再生装置５２に対するものであるので、主に入力認識部１０ｃはこれらに対して操作信号を送ることになる。ただし、操作内容には、表示している操作画面を消去して通常の表示に戻るための操作も含まれるので、この場合には消去信号を表示制御部１０ｂに対して送ることになる。
【００８６】
次に、図５のフローチャートに基づいて、デュアルビュー表示装置１においてカーナビ映像及びＤＶＤ映像を操作する際の処理の流れについて説明する。
【００８７】
表示部１７においてカーナビ映像及びＤＶＤ映像のデュアルビュー表示を行っている際に、入力認識部１０ｃは、表示画面の任意の位置においてタッチ入力がなされたか否かを監視している（ステップＳ１）。
【００８８】
タッチ入力がなされたことを入力認識部１０ｃが認識すると、入力認識部１０ｃは、タッチ入力がなされたことを表示制御部１０ｂに通知する。表示制御部１０ｂは、記憶部１０ａから選択画面データを読み出し、これを液晶コントローラ１１に送ることにより、運転席方向Ｄ１においてはカーナビ映像と重畳するように、また、助手席方向Ｄ２においてはＤＶＤ映像と重畳するように、選択画面をウインドウ表示させる（ステップＳ２）。
【００８９】
運転席方向Ｄ１及び助手席方向Ｄ２における選択画面の表示状態をそれぞれ図６（ａ）及び図６（ｂ）に示す。選択画面ＳＰには、操作対象として、運転席側映像（カーナビ映像）を選択するための「運転席側映像選択」ボタンＳＰａと、助手席側映像（ＤＶＤ映像）を選択するための「助手席側映像選択」ボタンＳＰｂとが含まれている。たとえば、選択画面ＳＰの上側領域に「運転席側映像選択」ボタンＳＰａを表示し、選択画面ＳＰの下側領域に「助手席側映像選択」ボタンＳＰｂを表示する。
【００９０】
引き続き図５に基づいて説明する。選択画面ＳＰが表示されると、入力認識部１０ｃは、選択画面ＳＰに表示された「運転席側映像選択」ボタンＳＰａ又は「助手席側映像選択」ボタンＳＰｂに対してタッチ入力されたか否かを監視する（ステップＳ３）。
【００９１】
操作者が「運転席側映像選択」ボタンＳＰａに対するタッチ入力を行い、入力認識部１０ｃがそのことを認識すると、入力認識部１０ｃはカーナビ映像操作画面が選択されたことを示す選択信号を表示制御部１０ｂへ送る。これにより、表示制御部１０ｂは、記憶部１０ａからカーナビ映像操作画面の操作画面データを読み出し、これを液晶コントローラ１１に送ることにより、運転席方向Ｄ１においてはカーナビ映像と重畳するように、また、助手席方向Ｄ２においてはＤＶＤ映像と重畳するように、カーナビ映像操作画面をウインドウ表示させる（ステップＳ４）。
【００９２】
運転席方向Ｄ１及び助手席方向Ｄ２におけるカーナビ映像操作画面の表示状態をそれぞれ図７（ａ）及び図７（ｂ）に示す。カーナビ映像操作画面ＣＰ１には、カーナビ映像の操作に必要となる操作ボタンを表示する。操作ボタンには、たとえば、「行き先」ボタンＣＰ１ａ、「登録」ボタンＣＰ１ｂ、「戻る」ボタンＣＰ１ｃが含まれる。
【００９３】
カーナビ映像操作画面ＣＰ１が表示されると、入力認識部１０ｃは、カーナビ映像操作画面ＣＰ１に表示された上記各ボタンＣＰ１ａ〜ＣＰ１ｃの何れに対してタッチ入力がなされたかを監視し、タッチされたボタンに応じた操作を示す操作信号を、カーナビゲーションシステム５１又は表示制御部１０ｂへ送る。
【００９４】
具体的には、「行き先」ボタンＣＰ１ａ又は「登録」ボタンＣＰ１ｂに対してタッチ入力がなされた場合、これらの操作があったことを操作信号によってカーナビゲーションシステム５１へ通知する。カーナビゲーションシステム５１では、液晶コントローラ１１に対して出力するカーナビ映像データを操作信号に基づいて変更する。
【００９５】
また、「戻る」ボタンＣＰ１ｃに対してタッチ入力がなされた場合、この操作があったことを操作信号によって表示制御部１０ｂへ通知する。これにより、表示制御部１０ｂはカーナビ映像操作画面ＣＰ１の表示を中止する。
【００９６】
引き続き図５に基づいて説明する。選択画面ＳＰが表示されている状態において、操作者が「助手席側映像選択」ボタンＳＰａに対するタッチ入力を行い、入力認識部１０ｃがそのことを認識すると、入力認識部１０ｃはＤＶＤ映像操作画面が選択されたことを示す選択信号を表示制御部１０ｂへ送る。これにより、表示制御部１０ｂは、記憶部１０ａからＤＶＤ映像操作画面の操作画面データを読み出し、これを液晶コントローラ１１に送ることにより、運転席方向Ｄ１においてはカーナビ映像と重畳するように、また、助手席方向Ｄ２においてはＤＶＤ映像と重畳するように、ＤＶＤ映像操作画面をウインドウ表示させる（ステップＳ５）。
【００９７】
ここで、運転席方向Ｄ１及び助手席方向Ｄ２におけるＤＶＤ映像操作画面の表示状態をそれぞれ図８（ａ）及び図８（ｂ）に示す。ＤＶＤ映像操作画面ＣＰ２には、ＤＶＤ映像の操作に必要となる操作ボタンを表示する。操作ボタンには、たとえば、「再生」ボタンＣＰ２ａ、「早送り」ボタンＣＰ２ｂ、「巻き戻し」ボタンＣＰ２ｃ、「停止」ボタンＣＰ２ｄ、「戻る」ボタンＣＰ２ｅが含まれる。
【００９８】
ＤＶＤ映像操作画面ＣＰ２が表示されると、入力認識部１０ｃは、ＤＶＤ映像操作画面ＣＰ２に表示された上記各ボタンＣＰ２ａ〜ＣＰ２ｅの何れに対してタッチ入力がなされたかを監視し、タッチされたボタンに応じた操作を示す操作信号を、ＤＶＤ再生装置５２又は表示制御部１０ｂへ送る。
【００９９】
具体的には、「再生」ボタンＣＰ２ａ、「早送り」ボタンＣＰ２ｂ、「巻き戻し」ボタンＣＰ２ｃ、又は「停止」ボタンＣＰ２ｄに対してタッチ入力がなされた場合、これらの操作があったことを操作信号によってＤＶＤ再生装置５２へ通知する。ＤＶＤ再生装置５２では、再生、早送り、巻き戻し、又は停止動作を行い、液晶コントローラ１１に対して出力するＤＶＤ映像データを操作信号に基づいて変更する。
【０１００】
また、「戻る」ボタンＣＰ２ｅに対してタッチ入力がなされた場合、この操作があったことを操作信号によって表示制御部１０ｂへ通知する。これにより、表示制御部１０ｂはＤＶＤ映像操作画面ＣＰ２の表示を中止する。
【０１０１】
以上のように、デュアルビュー表示装置１では、表示画面の右方向（第１表示方向Ｄ１）にはカーナビ映像が表示され、左方向（第２表示方向Ｄ２）にはＤＶＤ映像が表示される（図３参照）。
【０１０２】
この状態において、操作者が表示画面上の任意の位置に触れると、図６（ａ）及び図６（ｂ）に示すように、表示制御部１０ｂが選択画面ＳＰをカーナビ映像及びＤＶＤ映像上に同時にウインドウ表示する。
【０１０３】
選択画面ＳＰには、「運転席側映像選択」ボタンＳＰａと「助手席側映像選択」ボタンＳＰｂとが表示され、その後、操作者が「運転席側映像選択」ボタンＳＰａにタッチすると、入力認識部１０ｃが「運転席側映像選択」ボタンＳＰａへのタッチを認識し、表示制御部１０ｂは、図７（ａ）及び図７（ｂ）に示すように、カーナビ映像操作画面ＣＰ１をカーナビ映像及びＤＶＤ映像上に同時にウインドウ表示する。カーナビ映像操作画面ＣＰ１には、「行き先」ボタンＣＰ１ａ、「登録」ボタンＣＰ１ｂ、「戻る」ボタンＣＰ１ｃが表示され、操作者が各ボタンをタッチすることにより、各ボタンに対応した動作が行なわれる。
【０１０４】
また、操作者が選択画面ＳＰ上に表示の「助手席側映像選択」ボタンＳＰ２をタッチすると、入力認識部１０ｃが「助手席側映像選択」ボタンＳＰ２へのタッチを認識し、表示制御部１０ｂは、図８（ａ）及び図８（ｂ）に示すように、ＤＶＤ映像操作画面ＣＰ２をカーナビ映像及びＤＶＤ映像上に同時にウインドウ表示する。ＤＶＤ映像操作画面ＣＰ２には、「再生」ボタンＣＰ２ａ、「早送り」ボタンＣＰ２ｂ、「巻き戻し」ボタンＣＰ２ｃ、「停止」ボタンＣＰ２ｄ、「戻る」ボタンＣＰ２ｅが表示され、操作者が各ボタンをタッチすることで、各ボタンに対応した動作が行なわれる。
【０１０５】
このように、まず初めに、操作者によって表示画面がタッチされたかどうかを判断し、次に、各表示方向への表示にそれぞれ対応した操作画面を選択するための選択画面を表示することにより、通常の表示状態において各操作画面に対応したタッチ専用領域を設ける必要がなくなり、操作性が向上する。また、操作者が誤って他方のタッチ専用領域をタッチすることがなくなる。
【０１０６】
また、各表示方向の表示エリア内に操作画面を表示することにより、操作者は、自分が観察している映像とは異なる映像についても操作を行うことができ、操作性が向上する。なお、これとは逆に、選択された操作画面に対応する表示方向にのみ当該操作画面を表示するようになっていてもよい。
【０１０７】
本実施の形態においては、一方向にカーナビ映像、他方向にＤＶＤ映像を表示することを想定したが、これに限られず、互いに異なる表示方向に対してそれぞれ別々の映像を表示するものであればよい。たとえば、テレビ映像とＤＶＤ映像、テレビ映像とカーナビ映像、テレビ映像とテレビ映像の組合せであっても構わない。また、各表示方向に表示の映像形態が固定である必要はなく、映像形態を切り替えて使用できるものであっても構わない。たとえば、各表示方向に表示する映像がそれぞれ、テレビ映像、ＤＶＤ映像、カーナビ映像の間で切り替えられるものであっても構わない。
【０１０８】
本実施の形態においては、カーナビ映像及びＤＶＤ映像上に選択画面を表示することを想定したが、これに限らず、選択画面を表示する際にはカーナビ映像及びＤＶＤ映像を表示せず、単に、選択画面のみを表示するようにしても構わない。
【０１０９】
本実施の形態においては、カーナビ映像及びＤＶＤ映像上にカーナビ映像操作画面又はＤＶＤ映像操作画面を表示することを想定したが、これに限られず、操作画面を表示する際にはカーナビ映像及びＤＶＤ映像を表示せず、単に、操作画面のみを表示するようにしても構わない。
【０１１０】
本実施の形態においては、同一の選択画面をカーナビ映像及びＤＶＤ映像上に表示することを想定したが、これに限られず、たとえば、カーナビ映像上に表示する選択画面では、「運転席側映像選択」ボタンが「助手席側映像選択」ボタンよりも強調して表示され、ＤＶＤ映像上に表示する選択画面では、「助手席側映像選択」ボタンが「運転席側映像選択」ボタンよりも強調して表示されるようにしても構わない。この構成を採用することにより、操作者は、操作頻度の高いボタンを優先して認識することができるので操作性が向上する。
【０１１１】
本実施の形態においては、同一の操作画面をカーナビ映像及びＤＶＤ映像上に表示することを想定したが、これに限られず、たとえば、ＤＶＤ映像上に表示のカーナビ映像操作画面は、カーナビ映像上に表示のカーナビ映像操作画面よりも小さく表示され、カーナビ映像上に表示のＤＶＤ映像操作画面は、ＤＶＤ映像上に表示のＤＶＤ映像操作画面よりも小さく表示されるようにしても構わない。この構成を採用することにより、操作頻度の低い操作画面による表示映像への妨げを軽減できるので、表示映像の品位が向上する。
【０１１２】
本実施の形態においては、選択画面をカーナビ映像及びＤＶＤ映像上に同時に表示することを想定したが、これに限られず、たとえば、ＤＶＤ映像上には、カーナビ映像上よりも遅れて選択画面を表示するようにしても構わない。また、カーナビ映像及びＤＶＤ映像上に表示する選択画面の表示順位を固定する必要はなく、選択画面の表示順位が切り替えできるものであっても構わない。この構成を採用することにより、映像を操作する頻度が少ない一方の操作者に対し、選択画面による表示映像への妨げを軽減できるので、表示映像の品位が向上する。
【０１１３】
本実施の形態においては、カーナビ映像操作画面又はＤＶＤ映像操作画面をカーナビ映像及びＤＶＤ映像上に同時に表示することを想定したが、これに限られず、たとえば、カーナビ映像上に表示のカーナビ映像操作画面は、ＤＶＤ映像上に表示のカーナビ映像操作画面よりも早く表示され、ＤＶＤ映像上に表示のＤＶＤ映像操作画面は、カーナビ映像上に表示のＤＶＤ映像操作画面よりも早く表示されるようにしても構わない。この構成を採用することにより、操作頻度の低い操作画面による表示映像への妨げを軽減できるので、表示映像の品位が向上する。
【０１１４】
本実施の形態においては、液晶表示パネル１４に対してパララックスバリヤ１５を重ねることによりデュアルビュー表示を実現しているが、これに限られず、互いに異なる複数の表示方向に対してそれぞれ別々の表示を行える構成であればよい。たとえば、液晶表示パネル１４に対してレンチキュラーレンズを重ねたものや、液晶表示パネル１４の後方に所望の周期で点灯、消灯を繰り返す複数の光源を備えたものであっても構わない。
【０１１５】
本実施の形態においては、液晶表示パネル１４を用いて表示部１７を構成しているが、液晶表示パネル１４の代わりに、たとえば、ＣＲＴやプラズマディスプレイパネル、有機ＥＬディスプレイパネルなどを用いても構わない。
【０１１６】
本実施の形態においては、タッチパネル１６はパネル表面の電荷変化量を測定することによって表示画面へのタッチを検出するように形成されているが、これに限られず、たとえば、タッチパネル１６はパネル上の電圧変化量や電磁エネルギー変化量を測定することによって表示画面へのタッチを検出するように形成されたものであっても構わない。
【０１１７】
本実施の形態においては、表示部１７は左右２方向に互いに異なる映像を表示するように形成されているが、これに限られず、たとえば、左方向、中央方向、右方向の３方向に互いに異なる映像を表示するように形成されたものであっても構わない。この構成を採用することにより、観察者は、互いに異なる映像を互いに異なる３方向から観察できる。
【０１１８】
本実施の形態においては、選択画面や操作画面が一旦表示されると、その後、選択画面や操作画面のボタンがタッチされるまでその画面を表示し続けることを想定したが、これに限られず、たとえば、選択画面や操作画面の表示後所望時間、画面上のボタンがタッチされない場合には、選択画面や操作画面の表示をキャンセルするようになっていても構わない。この構成を採用することにより、操作者は、誤って画面をタッチした場合に敢えて回避操作を行う必要がないので操作性が向上する。
【０１１９】
〔実施形態２〕
本発明の第２の実施形態について、図９から図１１に基づいて説明すると以下の通りである。本実施形態では、実施形態１において説明したデュアルビュー表示装置１における制御部１０（図４参照）の動作及び記憶情報の一変形例について説明する。したがって、実施形態１において説明した部材と同一又は対応する部材については、同一の符号を用いることとする。
【０１２０】
本実施形態では、選択画面として、各操作画面にそれぞれ対応した２つの選択画面を設ける。そのため、図９に示すように、制御部１０の記憶部１０ａには、カーナビ映像操作画面及びＤＶＤ映像操作画面それぞれに対応して作成された２つの選択画面データが含まれている。そして、上記２つの選択画面を時分割で切り替えて表示する。
【０１２１】
図９に基づいて、本実施形態における表示制御部１０ｂ及び入力認識部１０ｃの機能について説明する。
【０１２２】
表示制御部１０ｂは、記憶部１０ａから操作画面データ又は選択画面データを読み出して液晶コントローラ１１へ送ることにより、カーナビ映像操作画面、ＤＶＤ映像操作画面又は選択画面を表示部１７に表示させるものである。
【０１２３】
具体的には、表示制御部１０ｂは、各操作画面及び各選択画面の何れも表示させていない状態において、タッチ位置検知回路１８からの座標データによって上記タッチ入力がなされたことを検知した入力認識部１０ａからの通知に基づいて選択画面を表示させる。このとき、表示制御部１０ｂは、所定時間間隔でカーナビ映像操作画面用の選択画面とＤＶＤ映像操作画面用の選択画面とを交互に読み出して液晶コントローラ１１へ送る。
【０１２４】
また、表示制御部１０ｂは、選択画面を表示させている状態において、カーナビ映像操作画面又はＤＶＤ映像操作画面が選択されたことを示す選択信号を入力認識部１０ｃから受け取ると、当該選択された操作画面を表示させる。
【０１２５】
入力認識部１０ｃは、各選択画面が表示されている状態において、タッチ位置検知回路１８から送られてくる座標データの座標値ではなく、送られてくるタイミング（このタイミングを、タッチ入力がなされたタイミングとみなしている。）に基づいて選択内容を認識する。つまり、入力認識部１０ｃは、各選択画面が表示されている状態においてタッチ入力がどの位置に対して行われたかを必要とせず、タッチ入力があったタイミングのみに基づいて選択内容の認識を行う。
【０１２６】
具体的には、入力認識部１０ｃは、各選択画面が表示されている状態において、タッチ位置検知回路１８から座標データが送られてくると、その時点において、選択画面としてカーナビ映像操作画面用の選択画面及びＤＶＤ映像操作画面用の選択画面の何れが表示されているのかを特定し、表示されている選択画面に対応する操作画面が選択されたものと認識し、認識結果を示す選択信号を表示制御部１０ｂへ送る。
【０１２７】
選択画面としてカーナビ映像操作画面用の選択画面及びＤＶＤ映像操作画面用の選択画面の何れが表示されているのかを特定するために、入力認識部１０ｃは、表示制御部１０ｂからその時点で表示されている選択画面の情報を得ている。
【０１２８】
また、入力認識部１０ｃは、操作画面が表示されている状態において、タッチ位置検知回路１８から送られてくる座標データと、その時点で表示されている操作画面のボタン領域とを比較することにより、タッチ入力により指示された操作内容を認識し、その認識結果に応じた指示を表示制御部１０ｂ、カーナビゲーションシステム５１又はＤＶＤ再生装置５２に対して送る。この点については実施形態１の場合と同じである。
【０１２９】
次に、図１０のフローチャートに基づいて、本実施形態のデュアルビュー表示装置１においてカーナビ映像及びＤＶＤ映像を操作する際の処理の流れについて説明する。
【０１３０】
表示部１７においてカーナビ映像及びＤＶＤ映像のデュアルビュー表示を行っている際に、入力認識部１０ｃは、表示画面の任意の位置においてタッチ入力がなされたか否かを監視している（ステップＳ１１）。
【０１３１】
タッチ入力がなされたことを入力認識部１０ｃが検知すると、入力認識部１０ｃはタッチ入力がなされたことを表示制御部１０ｂに通知する。表示制御部１０ｂは、記憶部１０ａから、カーナビ映像操作画面用の選択画面データを読み出し、これを液晶コントローラ１１に送ることにより、運転席方向Ｄ１においてはカーナビ映像と重畳するように、また、助手席方向Ｄ２においてはＤＶＤ映像と重畳するように、カーナビ映像操作画面の選択画面をウインドウ表示させる。そして、表示制御部１０ｂは所定時間（例えば３秒）経過するのを待って、今度は、記憶部１０ａから、ＤＶＤ映像操作画面用の選択画面データを読み出し、これを液晶コントローラ１１に送ることにより、運転席方向Ｄ１においてはカーナビ映像と重畳するように、また、助手席方向Ｄ２においてはＤＶＤ映像と重畳するように、ＤＶＤ映像操作画面用の選択画面をウインドウ表示させる。この動作を繰り返すことにより、２枚の選択画面を交互に、カーナビ映像及びＤＶＤ映像上にウインドウ表示する（ステップＳ１２）。
【０１３２】
なお、上記でははじめにカーナビ映像操作画面用の選択画面を表示することとしたが、逆に、ＤＶＤ映像操作画面用の選択画面をはじめに表示してもよい。
【０１３３】
運転席方向Ｄ１及び助手席方向Ｄ２における選択画面の表示状態をそれぞれ図１１（ａ）及び図１１（ｂ）に示す。カーナビ映像操作画面用の選択画面ＳＰ１と、ＤＶＤ映像操作画面用の選択画面ＳＰ２とは、運転席方向Ｄ１においてはカーナビ映像と重畳するように、また、助手席方向Ｄ２においてはＤＶＤ映像と重畳するように、交互にウェインドウ表示される。
【０１３４】
図１１（ａ）及び図１１（ｂ）に示すように、カーナビ映像操作画面用の選択画面ＳＰ１は、実施形態１における「運転席側映像選択」ボタンＳＰａ（図６（ａ）参照）に相当するものであり、ＤＶＤ映像操作画面用の選択画面ＳＰ２は、実施形態１における「助手席側映像選択」ボタンＳＰｂ（図６（ｂ）参照）に相当するものである。
【０１３５】
引き続き図１０に基づいて説明する。選択画面ＳＰ１・ＳＰ２の交互表示が行われると、入力認識部１０ｃは、表示画面に対してタッチ入力されるタイミング、つまり、タッチ入力が、カーナビ映像操作画面用の選択画面ＳＰ１の表示中になされたか、ＤＶＤ映像操作画面用の選択画面ＳＰ２の表示中になされたかを監視する（ステップＳ１３）。
【０１３６】
カーナビ映像操作画面用の選択画面ＳＰ１の表示中に操作者がタッチ入力を行い、入力認識部１０ｃがそのことを認識すると、入力認識部１０ｃはカーナビ映像操作画面が選択されたことを示す選択信号を表示制御部１０ｂへ送る。これにより、表示制御部１０ｂは、記憶部１０ａからカーナビ映像操作画面の操作画面データを読み出し、これを液晶コントローラ１１に送ることにより、運転席方向Ｄ１においてはカーナビ映像と重畳するように、また、助手席方向Ｄ２においてはＤＶＤ映像と重畳するように、カーナビ映像操作画面をウインドウ表示させる（ステップＳ１４）。
【０１３７】
また、ＤＶＤ映像操作画面用の選択画面ＳＰ２の表示中に操作者がタッチ入力を行い、入力認識部１０ｃがそのことを認識すると、入力認識部１０ｃはＤＶＤ映像操作画面が選択されたことを示す選択信号を表示制御部１０ｂへ送る。これにより、表示制御部１０ｂは、記憶部１０ａからＤＶＤ映像操作画面の操作画面データを読み出し、これを液晶コントローラ１１に送ることにより、運転席方向Ｄ１においてはカーナビ映像と重畳するように、また、助手席方向Ｄ２においてはＤＶＤ映像と重畳するように、ＤＶＤ映像操作画面をウインドウ表示させる（ステップＳ１５）。
【０１３８】
運転席方向Ｄ１及び助手席方向Ｄ２におけるカーナビ映像操作画面及びＤＶＤ映像操作画面の表示状態は、実施形態１において図７（ａ）及び図７（ｂ）、並びに図８（ａ）及び図８（ｂ）に示したとおりである。
【０１３９】
なお、本実施形態においても、実施形態１において説明した種々の変形が可能である。
【０１４０】
以上のように、本実施形態のデュアルビュー表示装置１においても、表示画面の右方向（第１表示方向Ｄ１）にはカーナビ映像が表示され、左方向（第２表示方向Ｄ２）にはＤＶＤ映像が表示される（図３参照）。
【０１４１】
この状態において、操作者が表示画面上の任意の位置に触れると、図１１（ａ）及び図１１（ｂ）に示すように、表示制御部１０ｂが選択画面ＳＰ１・ＳＰ２を交互にウインドウ表示する。
【０１４２】
選択画面ＳＰ１の表示中に操作者が表示面にタッチすると、選択画面ＳＰ１の表示中に表示面がタッチされたことを入力認識部１０ｃが認識し、表示制御部１０ｂは、図７（ａ）及び図７（ｂ）に示すようにカーナビ映像操作画面をカーナビ映像及びＤＶＤ映像上に同時にウインドウ表示する。
【０１４３】
また、選択画面ＳＰ２の表示中に操作者が表示面をタッチすると、選択画面ＳＰ２の表示中に表示面がタッチされたことを入力認識部１０ｃが検出し、表示制御部１０ｂは、操作画面表示制御手段は、図８（ａ）及び図８（ｂ）に示すようにＤＶＤ映像操作画面をカーナビ映像及びＤＶＤ映像上に同時にウインドウ表示する。
【０１４４】
このように、表示面がタッチされたときに表示されている選択画面から操作画面を認識することにより、操作者は、タッチする表示面の位置を意識することなく操作画面を選択することができるので、操作性が向上する。
【０１４５】
その他の効果については、実施形態１と同様であるのでここでは説明を繰返さない。
【０１４６】
〔実施の形態３〕
本発明の第３の実施形態について、図１２及び図１３に基づいて説明すると以下の通りである。本実施形態では、実施形態１において説明したデュアルビュー表示装置１における制御部１０（図４参照）の動作及び記憶情報の他の変形例について説明する。したがって、実施形態１において説明した部材と同一又は対応する部材については、同一の符号を用いることとする。
【０１４７】
本実施形態では、選択画面を表示するのではなく、所定時間内での表示面へのタッチ入力の回数によって操作画面を選択するようにしている。そのため、図１２に示すように、制御部１０の記憶部１０ａには、タッチ回数と選択内容との対応関係を示すテーブルが選択情報として記憶されている。つまり、カーナビ映像操作画面を選択する際のタッチ回数（１回）と、ＤＶＤ映像操作画面を選択する際のタッチ回数（２回）とが記憶されている。
【０１４８】
具体的には、入力認識部１０ｃは、何れの操作画面も表示させていない状態において、表示面の任意の位置にタッチ入力がなされると、その時点から所定時間内（例えば１秒以内）にタッチ入力がなされる回数をカウントする（最初のタッチ入力もカウントする）。
【０１４９】
そして、入力認識部１０ｃは、このカウント結果と、記憶部１０ａに選択情報として記憶されているテーブルを参照し、その回数に対応付けられた選択内容（カーナビ映像操作画面又はＤＶＤ映像操作画面）を認識する。そして、表示制御部１０ｂは、選択されたものと認識したカーナビ映像操作画面又はＤＶＤ映像操作画面を表示させる。
【０１５０】
このように、タッチ入力がどの位置で行なわれたかは重要ではなく、所定時間内に検知するタッチ入力の回数に応じて特定の操作画面を表示するようになっておればよい。
【０１５１】
また、入力認識部１０ｃは、操作画面を表示させている状態において、タッチ位置検知回路１８から送られてくる座標データと、その時点で表示されている操作画面のボタン領域とを比較することにより、タッチ入力により指示された操作内容を認識し、その認識結果に応じた指示を表示制御部１０ｂ、カーナビゲーションシステム５１又はＤＶＤ再生装置５２に対して送る。この点については実施形態１の場合と同じである。
【０１５２】
次に、図１３のフローチャートに基づいて、本実施形態のデュアルビュー表示装置１においてカーナビ映像及びＤＶＤ映像を操作する際の処理の流れについて説明する。
【０１５３】
表示部１７においてカーナビ映像及びＤＶＤ映像のデュアルビュー表示を行っている際に、入力認識部１０ｃは、表示面の任意の位置においてタッチ入力がなされたか否かを監視し、タッチ入力がなされると、その時点から１秒以内に何回タッチ入力がなされるかをカウントする（ステップＳ３１）。
【０１５４】
１秒間になされたタッチ入力が１回（つまり最初のタッチ入力のみ）の場合、表示制御部１０ｂは、記憶部１０ａからカーナビ映像操作画面の操作画面データを読み出し、これを液晶コントローラ１１に送ることにより、運転席方向Ｄ１においてはカーナビ映像と重畳するように、また、助手席方向Ｄ２においてはＤＶＤ映像と重畳するように、カーナビ映像操作画面をウインドウ表示させる（ステップＳ３２）。
【０１５５】
一方、１秒間になされたタッチ入力が２回の場合、表示制御部１０ｂは、記憶部１０ａからＤＶＤ映像操作画面の操作画面データを読み出し、これを液晶コントローラ１１に送ることにより、運転席方向Ｄ１においてはカーナビ映像と重畳するように、また、助手席方向Ｄ２においてはＤＶＤ映像と重畳するように、ＤＶＤ映像操作画面をウインドウ表示させる（ステップＳ３３）。
【０１５６】
なお、タッチ入力が１回の場合をカーナビ映像操作画面に対応付け、タッチ入力が２回の場合をＤＶＤ映像操作画面に対応付けている理由は、カーナビ映像の操作の方が一般に利用頻度が高く、カーナビ映像操作画面をより少ないタッチ入力回数に対応付けた方が操作しやすいからである。
【０１５７】
運転席方向Ｄ１及び助手席方向Ｄ２におけるカーナビ映像操作画面及びＤＶＤ映像操作画面の表示状態は、実施形態１において図７（ａ）及び図７（ｂ）、並びに図８（ａ）及び図８（ｂ）に示したとおりである。
【０１５８】
なお、本実施形態においても、実施形態１において説明した種々の変形が可能である。
【０１５９】
以上のように、本実施形態のデュアルビュー表示装置１においても、表示面の右方向（第１表示方向Ｄ１）にはカーナビ映像が表示され、左方向（第２表示方向Ｄ２）にはＤＶＤ映像が表示される。
【０１６０】
この状態において、操作者が表示面上の任意の位置を１秒間に１回タッチすると、表示制御部１０ｂは、図７（ａ）及び図７（ｂ）に示すように、カーナビ映像操作画面をカーナビ映像及びＤＶＤ映像上に同時にウインドウ表示する。
【０１６１】
また、操作者が表示面上の任意の位置を１秒間に２回タッチすると、表示制御部１０ｂは、図８（ａ）及び図８（ｂ）に示すように、ＤＶＤ映像操作画面をカーナビ映像及びＤＶＤ映像上に同時にウインドウ表示する。
【０１６２】
このように、表示面がタッチされた回数を所定時間内でカウントし、タッチ回数から操作画面を認識することにより、操作者は、選択画面を経由せずに、直接、操作画面を選択することができる。
【０１６３】
その他の効果については、実施形態１と同様であるのでここでは説明を繰返さない。
【０１６４】
本実施の形態においては、表示面がタッチされた回数が１秒間に１回か２回かを判断するように形成されているが、これに限らず、表示面へのタッチ回数によって操作画面を識別できるように形成されたものであれば構わない。たとえば、表示面がタッチされた回数が２秒間に１回か２回以上かを判断するように形成されたものであっても構わない。
【０１６５】
また、本実施の形態においては、表示面がタッチされた回数に応じて選択画面を認識する構成としたが、これに限らず、タッチ入力の時間的パターン、たとえば、タッチ入力の時間的長さに応じて選択画面を認識する構成であってもよい。具体的には、表示面にタッチされている時間が１秒未満であればカーナビ映像操作画面が選択されたものと認識し、表示面にタッチされている時間が１秒以上であればＤＶＤ映像操作画面が選択されたものと認識する、といった構成であってもよい。
【０１６６】
以上、実施形態１〜３において具体的に説明した本発明の表示装置は、次のような構成であるともいえる。
【０１６７】
すなわち、本発明の表示装置は、異なる複数の表示方向に互いに異なる映像を同時に表示しうる表示パネルと、上記表示パネルの表示面へのタッチ入力を検知するタッチ入力検知部とを備えた表示装置であって、上記各表示方向への表示にそれぞれ対応する操作画面およびこれら操作画面を選択する選択画面の何れもが表示されていない状態において、表示面の任意の位置にタッチ入力がなされると、上記各表示方向に対して上記選択画面を表示する選択画面表示制御手段と、上記選択画面が表示されている状態において、上記選択画面へのタッチ入力がなされると、上記操作画面の中から特定の操作画面を表示する操作画面表示制御手段とを備えている。
【０１６８】
この構成を採用することにより、操作画面及び選択画面の非表示状態においては、操作者は表示面の任意の位置にタッチすればよいので、操作者による誤操作が起こりにくくなる。また、選択画面を常時表示しておく必要がないので、視聴用の映像への影響を避けることができるようになる。
【０１６９】
上記構成においては、上記タッチ入力検知部は上記表示パネルの表示面へのタッチ入力位置を検知するタッチ位置検知部を有し、上記操作画面表示制御手段は、上記表示の選択画面へのタッチ入力の位置に基づいて、特定の操作画面を表示する構成であってもよい。
【０１７０】
この構成を採用することにより、操作者は画面をタッチするタイミングを意識することなく特定の操作画面を選択できるので操作性の向上を図ることができる。
【０１７１】
上記構成においては、上記選択画面表示制御手段は上記選択画面を複数枚、時分割で切り替えて表示する構成であって、また、上記操作画面表示制御手段は、上記表示パネルの表示面へのタッチ入力がなされたときに表示の選択画面から、特定の操作画面を表示する構成であってもよい。
【０１７２】
この構成を採用することにより、操作者は、タッチする画面の位置を意識することなく特定の操作画面を選択できるので操作性の向上を図ることができる。
【０１７３】
また、本発明の表示装置は、異なる複数の表示方向に互いに異なる映像を同時に表示しうる表示パネルと、上記表示パネルの表面へのタッチ入力を検知するタッチ入力検知部とを備えた表示装置であって、上記表示パネルの表示面へのタッチ入力パターンに基づいて、特定の操作画面を表示する構成であってもよい。
【０１７４】
この構成を採用することにより、各表示方向への表示に対応したタッチ専用領域を設ける必要がなく、また、特定の操作画面を選択するための選択画面も表示させる必要がないので操作性の向上を図ることができる。
【０１７５】
上記構成においては、上記操作画面表示制御手段は、上記各表示方向に対して上記操作画面を表示する構成であってもよい。
【０１７６】
この構成を採用することにより、観察する方向に表示の映像だけでなく、異なる方向に表示の映像についても操作を行うことができるので操作性の向上を図ることができる。
【０１７７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１７８】
本発明は、例えば、自動車に搭載され、運転席側に向かってカーナビ映像を、助手席側に向かってＤＶＤ映像をそれぞれ表示するデュアルビュー表示装置に特に好適に適用できる。
【図面の簡単な説明】
【０１７９】
【図１】本発明の実施の一形態に係るデュアルビュー表示装置を示すブロック図である。
【図２】図１のデュアルビュー表示装置における表示部の構成を示す断面図である。
【図３】図１のデュアルビュー表示装置におけるデュアルビュー表示の概念を説明するための図面である。
【図４】図１のデュアルビュー表示装置における制御部の具体的例を示すブロック図である。
【図５】図４の制御部における処理の流れを示すフローチャートである。
【図６】（ａ）は助手席方向に対して表示される選択画面を示す平面図であり、（ｂ）は運転席方向に対して表示される選択画面を示す平面図である。
【図７】（ａ）は助手席方向に対して表示されるカーナビ映像操作画面を示す平面図であり、（ｂ）は運転席方向に対して表示されるカーナビ映像操作画面を示す平面図である。
【図８】（ａ）は助手席方向に対して表示されるＤＶＤ映像操作画面を示す平面図であり、（ｂ）は運転席方向に対して表示されるＤＶＤ映像操作画面を示す平面図である。
【図９】図１のデュアルビュー表示装置における制御部の他の具体的例を示すブロック図である。
【図１０】図９の制御部における処理の流れを示すフローチャートである。
【図１１】（ａ）は助手席方向に対して表示される選択画面を示す平面図であり、（ｂ）は運転席方向に対して表示される選択画面を示す平面図である。
【図１２】図１のデュアルビュー表示装置における制御部のさらに他の具体的例を示すブロック図である。
【図１３】図１２の制御部における処理の流れを示すフローチャートである。
【図１４】従来のデュアルビュー表示装置を示すブロック図である。
【符号の説明】
【０１８０】
１    デュアルビュー表示装置
１０    制御部
１０ａ  記憶部
１０ｂ  表示制御部
１０ｃ  入力認識部
１１    液晶コントローラ
１２    ゲートドライバ
１３    ソースドライバ
１４    液晶表示パネル
１５    パララックスバリヤ
１６    タッチパネル
１７    表示部
１８    タッチ位置検知回路
Ｄ１    運転席方向
Ｄ２    助手席方向
ＳＰ    選択画面
ＣＰ    操作画面
【図１】
2007164614.tif 000003
【図２】
2007164614.tif 000004
【図３】
2007164614.tif 000005
【図４】
2007164614.tif 000006
【図５】
2007164614.tif 000007
【図６】
2007164614.tif 000008
【図７】
2007164614.tif 000009
【図８】
2007164614.tif 000010
【図９】
2007164614.tif 000011
【図１０】
2007164614.tif 000012
【図１１】
2007164614.tif 000013
【図１２】
2007164614.tif 000014
【図１３】
2007164614.tif 000015
【図１４】
2007164614.tif 000016